(57)【特許請求の範囲】
【請求項１】
リモコン装置が有する赤、青、緑のカラーボタンの操作により送信される制御信号を該リモコン装置から受信する受信手段と、
受信した制御信号に応じて、操作されたカラーボタンの色に対応した色の画質調整用の調整画面を表示させる表示制御手段と、
前記調整画面での、前記リモコン装置による前記カラーボタンとは異なる他のボタンの操作により、前記操作されたカラーボタンの色に対応した色の画質調整の調整量を変化させる制御手段とを有することを特徴とするテレビ受像機。
【請求項２】
前記受信手段は、前記リモコン装置が有する黄のカラーボタンの操作により送信される制御信号を該リモコン装置から受信し、前記表示制御手段は、前記黄のカラーボタンの操作により送信された制御信号を受信したことに応じて、輝度調整用の調整画面を表示させ、前記制御手段は、前記輝度調整用の調整画面での、前記リモコン装置による前記カラーボタンとは異なる他のボタンの操作により、輝度調整の調整量を変化させることを特徴とする請求項１に記載のテレビ受像機。
【請求項３】
前記カラーボタンには、複数のコマンドが設定されており、前記制御信号は前記カラーボタンの長押しにより設定されるコマンドに応じて出力されることを特徴とする請求項１または２に記載のテレビ受像機。
【請求項４】
前記カラーボタンとは異なる他のボタンの操作とは、前記リモコン装置が有する音量の増減ボタンの操作であることを特徴とする請求項１から３のいずれか１項に記載のテレビ受像機。
【請求項５】
リモコン装置が有する赤、青、緑のカラーボタンの操作により送信される制御信号を該リモコン装置から受信するステップと、
受信した制御信号に応じて、操作されたカラーボタンの色に対応した色の画質調整用の調整画面を表示させるステップと、
前記調整画面での、前記リモコン装置による前記カラーボタンとは異なる他のボタンの操作により、前記操作されたカラーボタンの色に対応した色の画質調整の調整量を変化させるステップとを有することを特徴とする画質調整方法。
【発明の詳細な説明】
【技術分野】
【０００１】
本発明は、テレビ受像機及び画質調整方法に関する。
【背景技術】
【０００２】
近年、ＴＶ（テレビ受像機）のデジタル化が進み多機能になるに連れて、ＴＶリモコンにおいても、従来存在しなかった「青」、「赤」、「緑」、「黄」のカラーボタンが新たに搭載されるようになった。
【０００３】
ＡＲＩＢ規格書で、ＴＶリモコンのカラーボタンが定義されており、データ放送画面にて操作することが想定されている。カラーボタンを用いた技術として、特許文献１には、データ放送以外でもカラーボタンの色に対応した機能をＴＶに表示することによって、その時々に応じてカラーボタンに各機能を個別に定義することが開示されている。
【０００４】
更に、特許文献２では、カラーボタンと同色の色を画面に表示することで、そのボタンを押すと、表示されている画面が選ばれるといった使い方が提案されている。
【０００５】
また、ＴＶにおいて画質調整を行う場合は、図７のように、ＴＶのリモコンのメニューボタンを押して、そのＴＶで行えるメニュー一覧を表示し、その中から画質調整機能を選択して画質調整を行っていた。
【０００６】
本手順を簡単に説明する。操作者はリモコンのメニューボタン７０１によって、機能一覧７０２を呼び出す。機能には、画質調整（ＲＧＢ調整７０３や明るさ調整７０４等）、オーディオ調整、チャンネル設定、その他の多くの機能がある。操作者は画質調整を行いたいので、一覧から画質調整に関する機能を選び、選択を行う。例えば、明るさ調整７０４を選ぶとする。そうすると画質調整用のＵＩ７０５が表示され、リモコンの十字キー７０６で値の調整を行う。
【特許文献１】特開２００５−１７５８６３号公報（図４）
【特許文献２】特開２００４−３３６４１４号公報（図５）
【発明の開示】
【発明が解決しようとする課題】
【０００７】
しかしながら、上記従来技術では、カラーボタンの機能は、その時々によって使い方が変化してしまうために、操作者は常にＴＶのガイダンスに従って操作を行わなければならなかった。
【０００８】
また、図７に示したように、画質調整等の単純な機能を実行するだけでも、メニュー操作から幾つかの操作ステップを踏まなければならないという問題があった。更に、メニューボタンとカラーボタン各々で機能操作が行えるために、操作者はメニューボタンを押して操作するのか、カラーボタンを押して操作するのかが分かり難くなってしまう問題があった。
【０００９】
本発明の目的は、画質調整を簡単な操作で行うことができるテレビ受像機及び画質調整方法を提供することにある。
【課題を解決するための手段】
【００１０】
上記目的を達成するために、請求項１記載のテレビ受像機は、リモコン装置が有する赤、青、緑のカラーボタンの操作により送信される制御信号を該リモコン装置から受信する受信手段と、受信した制御信号に応じて、操作されたカラーボタンの色に対応した色の画質調整用の調整画面を表示させる表示制御手段と、前記調整画面での、前記リモコン装置による前記カラーボタンとは異なる他のボタンの操作により、前記操作されたカラーボタンの色に対応した色の画質調整の調整量を変化させる制御手段とを有することを特徴とする。
【発明の効果】
【００１２】
本発明によれば、画質調整を簡単な操作で行うことができる。
【発明を実施するための最良の形態】
【００１３】
以下、本発明の実施の形態を図面を参照しながら詳細に説明する。
【００１４】
図１は、本発明の実施の形態に係るテレビ受像機とデジタルカメラが接続された映像表示システムの構成図である。
【００１５】
テレビ受像機としてのデジタルテレビ装置１００と、ユーザーがデジタルテレビ装置１００を赤外線で操作するためのリモコン装置１０３と、デジタルカメラ１０５が示される。
【００１６】
デジタルテレビ装置１００は、画面を出力するための表示部となる表示装置１０１を前面に備え、音声出力を行うためのスピーカ１０２をその両側面に備える。リモコン装置１０３は、ＡＲＩＢ規格書で定義されている［青］、［赤］、［緑］、［黄］のカラーボタンを有する。
【００１７】
デジタルテレビ装置１００と外部装置としてのデジタルカメラ１０５はＵＳＢ（Universal  Serial  Bus）ケーブル１０４で接続されている。本実施の形態では、有線接続の例を挙げたが、デジタルテレビ装置１００と外部装置は無線で接続されていてもよい。
【００１８】
図２は、図１におけるリモコン装置の外観図である。
【００１９】
リモコン装置１０３は以下のボタンを有する。
【００２０】
電源ボタン２０１は、デジタルテレビ装置１００の電源のオン／オフを制御する。メニューボタン２０２は、デジタルテレビ装置１００内の画質調整やチャンネル設定等を行う。
【００２１】
カラーボタン２０３は、［青］、［赤］、［緑］、［黄］の４つがある。本図では便宜的に、［青］ボタンを［Ｂ］、［赤］ボタンを［Ｒ］、［緑］ボタンを［Ｇ］、［黄］ボタンを［Ｙ］で表している。
【００２２】
チャンネルボタン２０４は、チャンネルを切り替える。音量ボタン２０５は、音量を操作する。チャンネルボタン２０６は、チャンネルを順次切り替える。音量ボタン２０５、チャンネルボタン２０６は、［＋］、［−］ボタン（増減ボタン）によって値の増減を行う。
【００２３】
十字ボタン２０７は、デジタルテレビ装置１００の機能の選択を行う。決定ボタン２０８は、十字ボタン２０７で選択された機能の決定を行う。
【００２４】
図３は、図１におけるデジタルテレビ装置のブロック図である。
【００２５】
以下、その構成を動作と併せて説明する。
【００２６】
コントローラ３０１は、デジタルテレビ装置１００の全体制御を司る。放送受信のためのアンテナ３０２は、外部からケーブル等を介してコントローラ３０１に接続される。
【００２７】
符号化された放送波はチューナ部３０３により受信され、デコーダ部３０４で復号して映像データと音声データに分離される。
【００２８】
復号された音声及び映像データは、それぞれ映像合成部３０５、音声制御部３０７と表示制御部３０６及びスピーカ駆動部３０８でデータ処理され、表示信号及び音声信号として表示装置１０１及びスピーカ１０２に伝送され、映像表示と音声出力を得る。表示及び音声データをどのように処理するかは制御部３０９で決定される。
【００２９】
制御部３０９は、ＲＯＭ３１０やＲＡＭ３１１を備えており、表示／編集用のプログラムの格納や、一時的なデータの保存を行うことが可能である。
【００３０】
制御部３０９は、リモコン装置１０３から送られた赤外線データを受信するリモコン受信部３１２、外部機器であるデジタルカメラ１０５との通信を制御するＩ／Ｏ制御部３１３を管理（制御）する。また、必要であれば、ＬＡＮによってネットワーク上からデータ送受信を行う通信制御部３１４も管理する。
【００３１】
図４は、図２のリモコン装置のブロック図である。
【００３２】
リモコン装置１０３は、送信部４０１、全体の動作を制御する制御部４０２、操作制御部４０３、操作部４０４を備える。送信部４０１は、操作部４０４の操作結果を赤外線データとしてデジタルテレビ装置１００に送信する。
【００３３】
（第１の実施の形態）
図５は、図１の映像表示システムにおける画質調整時の表示装置の表示例を示す図である。
【００３４】
デジタルテレビ装置１００の画質調整を、リモコン装置１０３上に搭載されているカラーボタン２０３で行う例を図５にて説明する。リモコン装置１０３に搭載されるカラーボタン２０３により、それぞれの色に対し直感的に分かる画質調整を行うことができる。
【００３５】
本実施の形態では、カラーボタン２０３の色から推測できるＲＧＢ調整と輝度調整を行う。［青］ボタン２０３Ｂは、青色に対するＲＧＢ調整を行い、［赤］ボタン２０３Ｒ、［緑］ボタン２０３Ｇは、それぞれ赤色、緑色に対するＲＧＢ調整を行う。［黄］ボタン２０３Ｙは、輝度調整を行う際に用いる。
【００３６】
実際の操作例について述べる。デジタルテレビ装置１００の視聴中に青色に対して画質調整を行いたい場合は、［青］ボタン２０３Ｂの長押しを行う。長押しとしたのは、デジタル放送で持っている機能におけるカラーボタンの用途と被らせないためである。他の機能と被らないのであれば、長押しでなくてもよいこととする。また、カラーボタン２０３を押しながら、音量ボタン２０５の［＋］、［?］ボタンを操作して画質調整を行ってもよい。
【００３７】
［青］ボタン２０３Ｂの操作を検知したリモコン装置１０３の制御部４０２は、デジタルテレビ装置１００に対して、［青］ボタン２０３Ｂが長押しされたことを、送信部４０１を介して赤外線にて通知する。
【００３８】
デジタルテレビ装置１００は、そのイベントを受信したら、表示装置１０１に画質調整用のＵＩ５０１を表示する。そのＵＩ５０１上には、どの色の調整を行うかの表示と、どのボタンを押すことによって調整値の増減を行えるかを分かりやすく表示する。
【００３９】
本実施の形態では、調整値の増減は［＋］、［−］ボタンで行える場合を表している。そこで、操作者は音量ボタン２０５の［＋］、［−］ボタンを操作し、調整値の変更を行う。色の調整が終わったら、再度［青］ボタン２０３Ｂの長押しを行い、画質の決定を行う。
【００４０】
本実施の形態では、青色の画質調整についての例を示したが、他の色についても同様の手順で画質調整を行うことができる。
【００４１】
図６は、図３のデジタルテレビ装置によって実行される画質調整処理の手順を示すフローチャートである。
【００４２】
本フローチャートは、図３におけるコントローラの制御の下に行われる。
【００４３】
図６において、まず、ステップＳ６０１で、リモコン装置１０３からの受信処理を行う。ステップＳ６０１は、リモコン装置１０３が有する４色のカラーボタン２０３の操作により送信される制御信号を該リモコン装置１０３から受信する受信手段として機能する。
【００４４】
ここで、カラーボタン２０３には、複数のコマンドが設定されており、制御信号はカラーボタン２０３の長押しにより設定されるコマンドに応じて出力される。
【００４５】
ステップＳ６０２で、カラーボタン２０３の長押しか否かを判断し、長押しだった場合は、ステップＳ６０３以降に続く、カラーボタン２０３の色に対応した画質調整処理に入る。
【００４６】
カラーボタン２０３の長押しで無い場合は、ステップＳ６０８の通常割り当てられているカラーボタン２０３の処理を行う。
【００４７】
カラーボタン２０３の長押しを検知すると、画質調整処理を行うので、ステップＳ６０３にてカラーボタン２０３の色に応じた調整ＵＩを表示する。ステップＳ６０３は、受信した制御信号に応じて、操作されたカラーボタン２０３の色に対応した色の画質調整用の調整画面を表示させる表示制御手段として機能する。
【００４８】
その後、ステップＳ６０４で、リモコン装置１０３から、音量ボタン２０５の［＋］、［−］ボタンが操作されたことを受信したら、その操作回数に応じた画質調整をステップＳ６０５にて行う。ステップＳ６０５は、調整画面での、リモコン装置１０３によるカラーボタン２０３とは異なる他のボタンの操作により、操作されたカラーボタンの色に対応した色の画質調整の調整量を変化させる制御手段として機能する。
【００４９】
再度カラーボタン２０３の操作をステップＳ６０６にて受信したら、ステップＳ６０７でカラー調整機能を終了して、本フローを抜ける。
【００５０】
従来、デジタルテレビ装置において、画質調整を行うには、多数の操作ステップを要していたが、本実施の形態により、操作者はカラーボタン２０３の色から連想されるデジタルテレビ装置１００の画質調整を数少ない操作ステップで実行できるようになる。
【００５１】
（第２の実施の形態）
本実施の形態では、デジタルテレビ装置１００に外部機器（デジタルカメラ１０５）内の画像を表示している際に、第１の実施の形態の操作を行った場合、画質調整は、デジタルテレビ装置１００に対してではなく、外部機器内の画像に対して行われる。
【００５２】
図１のように、デジタルテレビ装置１００に対して、デジタルカメラ１０５を接続したときは、デジタルカメラ１０５内の画像がＵＳＢケーブル１０４を通ってデジタルテレビ装置１００の表示装置１０１に表示される。
【００５３】
このデータの流れを図３のブロック図を用いて説明する。
【００５４】
デジタルカメラ１０５をデジタルテレビ装置１００に接続すると、デジタルテレビ装置１００のコントローラ３０１の制御部３０９は、Ｉ／Ｏ制御部３１３に対してデジタルカメラ１０５内のデータの取得を命じる。
【００５５】
制御部３０９は、Ｉ／Ｏ制御部３１３を通じて取得したデータをＲＡＭ３１１に一時的に保存する。保存が終わったら、制御部３０９はデコーダ部３０４にＲＡＭ３１１内の画像を渡し、その後、映像データを、映像合成部３０５、表示制御部３０６によって、表示装置１０１に出力する。
【００５６】
表示されている画像に対して編集指示がなされたら、制御部３０９は、ＲＯＭ３１０に格納されている画像修正プログラムを起動する。画像修正プログラムはＲＡＭ３１１に格納されている画像データに対し、指定された値で編集を行う。
【００５７】
編集が終わったら、制御部３０９は、デコーダ部３０４にＲＡＭ３１１内の画像を渡し、その後、映像データを、映像合成部３０５、表示制御部３０６によって、表示装置１０１に出力する。この繰り返しを行い、ＲＡＭ３１１の画像データ（映像データ）に対して編集処理を行う。編集終了後は、ＲＡＭ３１１に格納されている画像データをデジタルカメラ１０５に対して書き戻す処理を行う。
【００５８】
本実施の形態では、デジタルテレビ装置１００に画像編集処理を行わせたが、編集内容をデジタルテレビ装置１００からデジタルカメラ１０５に送信し、デジタルカメラ１０５にて編集を行ってもよい。
【００５９】
デジタルテレビ装置に出力された外部機器内の画像は、これまで閲覧のみで画像調整に代表される編集を行うことができなかった。本実施の形態により、外部機器内の画像をデジタルテレビ装置１００で表示している時に、表示されている画像に対して編集を行うことが可能となる。また第１の実施の形態で述べたように、操作者はカラーボタン２０３の色から連想されるデジタルテレビ装置１００の画質調整機能を、数少ない操作ステップで実行できるようになる。
【図面の簡単な説明】
【００６０】
【図１】本発明の実施の形態に係るテレビ受像機とデジタルカメラが接続された映像表示システムの構成図である。
【図２】図１におけるリモコン装置の外観図である。
【図３】図１におけるデジタルテレビ装置のブロック図である。
【図４】図２のリモコン装置のブロック図である。
【図５】図１の映像表示システムにおける画質調整時の表示装置の表示例を示す図である。
【図６】図３のデジタルテレビ装置によって実行される画質調整処理の手順を示すフローチャートである。
【図７】従来例に係るデジタルテレビ装置における画質調整時の表示装置の表示例を示す図である。
【符号の説明】
【００６１】
１００  デジタルテレビ装置
１０１  表示装置
１０２  スピーカ
１０３  リモコン装置
１０５  デジタルカメラ
２０３  カラーボタン
２０５  音量ボタン
３０１  コントローラ
３０９  制御部
３１０  ＲＯＭ
３１１  ＲＡＭ
【図１】
0005188150.tif 000002
【図２】
0005188150.tif 000003
【図３】
0005188150.tif 000004
【図４】
0005188150.tif 000005
【図５】
0005188150.tif 000006
【図６】
0005188150.tif 000007
【図７】
0005188150.tif 000008